(57)【特許請求の範囲】
【請求項１】
アンテナ入力端子からの受信信号から、ＣＢ周波数成分を除去するＣＢフィルタと、ＩＦ周波数成分を除去するＩＦフィルタと、これらフィルタを通過した出力信号が入力されるＶＨＦハイバンド用アンテナ同調回路と、ＶＨＦローバンド用アンテナ同調回路と、ＵＨＦアンテナ同調回路と、を含んでいる、ＴＶチューナ装置用アンテナ回路において、
前記ＩＦフィルタが、アンテナ入力端子からのラインに直列に、且つ互いに並列に接続されたコイルおよびコンデンサから成るトラップフィルタであって、
前記ＣＢフィルタが、前記ＩＦフィルタからの出力ラインとアース間に、互いに直列に接続されたコンデンサおよびコイルから成るトラップフィルタであって、
前記ＶＨＦハイバンド用アンテナ同調回路は前記ＣＢフィルタからの出力信号が直接に入力され、前記ＶＨＦローバンド用アンテナ同調回路及びＵＨＦアンテナ同調回路は前記ＣＢフィルタからの出力信号がコンデンサを介して入力されることを特徴とする、ＴＶチューナ装置用アンテナ同調回路。
【請求項２】
前記ＩＦフィルタが、映像ＩＦ周波数付近のＩＦ周波数成分を除去するように構成されていること特徴とする、請求項１に記載のＴＶチューナ装置用アンテナ同調回路。
【請求項３】
前記ＣＢフィルタが、ＣＢ無線周波数付近のＣＢ周波数成分を除去するように構成されていることを特徴とする、請求項１に記載のＴＶチューナ装置用アンテナ同調回路。
【発明の詳細な説明】
【０００１】
【発明の属する技術分野】
本発明は、ＴＶチューナ装置用アンテナ回路に関し、特にＣＢフィルタおよびＩＦフィルタを備えたアンテナ回路に関するものである。
【０００２】
【従来の技術】
従来、このようなＴＶチューナ装置用アンテナ回路は、例えば図３に示すように、構成されている。即ち、図３において、ＴＶチューナ装置用アンテナ回路１は、アンテナからの受信信号が入力されるアンテナ端子２と、アンテナ端子２からの受信信号が入力される第一のフィルタ３と、第一のフィルタ３からの出力信号が入力される第二のフィルタ４と、第二のフィルタ４からの出力信号がそれぞれ入力される三つのアンテナ同調回路５，６，７と、を含んでいる。
【０００３】
第一のフィルタ３は、所謂ＣＢフィルタであって、ＣＢ（市民バンド）無線の信号を排除するために、ラインに直列に接続されたコンデンサ３ａと、このコンデンサ３ａの入力側および出力側とアース間にそれぞれ接続されたコイル３ｂ，３ｃとから成るハイパスフィルタとして構成されている。
ここで、上記第一のフィルタ３は、ＣＢ無線の周波数である２８ＭＨｚ以下をカットするように、上記コンデンサ３ａおよびコイル３ｂ，３ｃの回路定数が選定されている。
【０００４】
第二のフィルタ４は、ＩＦフィルタであって、ＩＦ周波数の周波数をカットするために、それぞれラインに直列に、互いに並列に接続されたコンデンサ４ａおよびコイル４ｂから成るトラップフィルタとして構成されている。
ここで、上記第二のフィルタ４は、ＩＦ周波数として例えば３８．９ＭＨｚをトラップするように、上記コンデンサ４ａおよびコイル４ｂの回路定数が選定されている。
【０００５】
さらに、三つのアンテナ同調回路のうち、第一のアンテナ同調回路５は、ＶＨＦのハイバンド用のアンテナ同調回路であって、第二のフィルタ４からの出力信号が直接に入力されるようになっている。
第二のアンテナ同調回路６は、ＶＨＦのローバンド用のアンテナ同調回路であり、また第三のアンテナ同調回路７は、ＵＨＦ用のアンテナ同調回路であって、それぞれ第二のフィルタ４からの出力信号が、コンデンサ８を介して入力されるようになっている。
【０００６】
このような構成のＴＶチューナ装置用アンテナ回路１によれば、第一および第二のフィルタ３，４を透過した信号は、図４に示すように、ＣＢ周波数以下がカットされると共に、ＩＦ周波数付近がトラップされた後、各アンテナ同調回路５，６，７に入力されることになる。
【０００７】
【発明が解決しようとする課題】
しかしながら、このように構成されたアンテナ回路１においては、二つのフィルタ３，４を構成する部品として、三つのコイル３ｂ，３ｃ，４ｂが必要であり、部品点数が多く、コストが高くなってしまうという問題があった。
【０００８】
また、ＣＢ周波数とＩＦ周波数の間の不要成分が、各アンテナ同調回路５，６，７に入力されることになってしまい、受信不良の一因となってしまうという問題もあった。
【０００９】
本発明は、以上の点に鑑み、部品点数が少なく、部品コストおよび組立コストが低減され得ると共に、ＣＢ周波数およびＩＦ周波数の間の不要成分が除去され得るようにした、ＴＶチューナ装置用アンテナ回路を提供することを目的としている。
【００１０】
【課題を解決するための手段】
上記目的は、本発明によれば、アンテナ入力端子からの受信信号から、ＣＢ周波数成分を除去するＣＢフィルタと、ＩＦ周波数成分を除去するＩＦフィルタと、これらフィルタを通過した出力信号が入力されるＶＨＦハイバンド用アンテナ同調回路と、ＶＨＦローバンド用アンテナ同調回路と、ＵＨＦアンテナ同調回路と、を含んでいる、ＴＶチューナ装置用アンテナ回路において、前記ＩＦフィルタが、アンテナ入力端子からのラインに直列に、且つ互いに並列に接続されたコイルおよびコンデンサから成るトラップフィルタであって、前記ＣＢフィルタが、前記ＩＦフィルタからの出力ラインとアース間に、互いに直列に接続されたコンデンサおよびコイルから成るトラップフィルタであって、前記ＶＨＦハイバンド用アンテナ同調回路は前記ＣＢフィルタからの出力信号が直接に入力され、前記ＶＨＦローバンド用アンテナ同調回路及びＵＨＦアンテナ同調回路は前記ＣＢフィルタからの出力信号がコンデンサを介して入力されることを特徴とする、ＴＶチューナ装置用アンテナ同調回路により、達成される。
【００１１】
本発明によるＴＶチューナ装置用アンテナ回路は、好ましくは、上記ＩＦフィルタが、映像ＩＦ周波数付近のＩＦ周波数成分を除去するように構成されている。
【００１２】
本発明によるＴＶチューナ装置用アンテナ回路は、好ましくは、上記ＣＢフィルタが、ＣＢ無線周波数付近のＣＢ周波数成分を除去するように構成されている。
【００１３】
上記構成によれば、ＩＦ周波数成分を除去するＩＦフィルタおよびＣＢ周波数成分を除去するＣＢフィルタが、それぞれ一つのコイルを含むトラップフィルタとして構成されているので、全体として二つのコイルを備えることになる。従って、フィルタを構成するために必要なコイルが少なくて済み、部品コストおよび組立コストが低減され得ることになる。
【００１４】
また、二つのトラップフィルタの組合せによって、ＩＦ周波数とＣＢ周波数の間の不要成分も除去され得ることになる。
【００１５】
【発明の実施の形態】
以下、図面に示した実施形態に基づいて、本発明を詳細に説明する。
図１は、本発明による装置の一実施形態を示している。
即ち、図１において、ＴＶチューナ装置用アンテナ回路１０は、アンテナからの受信信号が入力されるアンテナ端子１１と、アンテナ端子１１からの受信信号が入力される第一のフィルタ１２と、第一のフィルタ１２からの出力信号が入力される第二のフィルタ１３と、第二のフィルタ１３からの出力信号がそれぞれ入力される三つのアンテナ同調回路１４，１５，１６と、を含んでいる。
【００１６】
第一のフィルタ１２は、ＩＦフィルタであって、ＩＦ周波数の周波数をトラップするために、それぞれラインに直列に、且つ互いに並列に接続されたコイル１２ａ、およびコンデンサ１２ｂから成るトラップフィルタとして構成されている。
ここで、上記第一のフィルタ１２は、ＩＦ周波数として例えば３８．９ＭＨｚ付近の周波数成分をトラップするように、上記コイル１２ａおよびコンデンサ１２ｂの回路定数が選定されている。
【００１７】
第二のフィルタ１３は、所謂ＣＢフィルタであって、ＣＢ（市民バンド）無線の信号を排除するために、ラインとアース間に、互いに直列に接続されたコンデンサ１３ａおよびコイル１３ｂとから成るトラップフィルタとして構成されている。
ここで、上記第二のフィルタ１３は、ＣＢ無線の周波数である２８ＭＨｚ付近の周波数成分をトラップするように、上記コンデンサ１３ａおよびコイル１３ｂの回路定数が選定されている。
【００１８】
三つのアンテナ同調回路のうち、第一のアンテナ同調回路１４は、ＶＨＦのハイバンド用のアンテナ同調回路であって、第二のフィルタ１３からの出力信号が直接に入力されるようになっている。
第二のアンテナ同調回路１５は、ＶＨＦのローバンド用のアンテナ同調回路であり、また第三のアンテナ同調回路１６は、ＵＨＦ用のアンテナ同調回路であって、それぞれ第二のフィルタ１３からの出力信号が、コンデンサ１７を介して入力されるようになっている。
【００１９】
本発明実施形態によるＴＶチューナ装置用アンテナ回路１０は、以上のように構成されており、第一および第二のフィルタ１２，１３を透過した信号は、図２に示すように、ＩＦ周波数付近およびＣＢ周波数付近が、それぞれ第一および第二のフィルタ１２，１３によってトラップされた後、各アンテナ同調回路１４，１５，１６に入力されることになる。
【００２０】
この場合、第二のフィルタ１３は、コンデンサ１３ａおよびコイル１３ｂから構成されているので、コイルは１個だけでよく、従って図３に示した従来のアンテナ回路１におけるＣＢフィルタ３と比較して、コイルが一つ少なくなる。かくして、部品点数が少なくて済み、部品コストおよび組立コストが低減され得ることになると共に、小型に構成され得ることになる。
【００２１】
また、上記第一および第二のフィルタ１２，１３を通過した受信信号は、図２に示すように、ＣＢ周波数とＩＦ周波数の間の不要成分も除去され得るので、各アンテナ同調回路１４，１５，１６における受信不良も回避され得ることになる。
【００２２】
【発明の効果】
以上述べたように、本発明によれば、ＩＦ周波数成分を除去するＩＦフィルタおよびＣＢ周波数成分を除去するＣＢフィルタが、それぞれ一つのコイルを含むトラップフィルタとして構成されているので、全体として二つのコイルを備えることになる。従って、フィルタを構成するために必要なコイルが少なくて済み、部品コストおよび組立コストが低減され得ることになる。
【００２３】
また、二つのトラップフィルタの組合せによって、ＩＦ周波数とＣＢ周波数の間の不要成分も除去され得ることになる。
【００２４】
かくして、本発明によれば、部品点数が少なく、部品コストおよび組立コストが低減され得ると共に、ＣＢ周波数およびＩＦ周波数の間の不要成分が除去され得るようにした、極めて優れたＴＶチューナ装置用アンテナ回路が提供され得ることになる。
【図面の簡単な説明】
【図１】本発明によるＴＶチューナ装置用アンテナ回路の一実施形態を示すブロック回路図である。
【図２】図１のアンテナ回路におけるフィルタ通過後の周波数特性を示すグラフである。
【図３】従来のＴＶチューナ装置用アンテナ回路の一例を示す、ブロック回路図である。
【図４】図３のアンテナ回路におけるフィルタ通過後の周波数特性を示すグラフである。
【符号の説明】
１０      ＴＶチューナ装置用アンテナ回路
１１      アンテナ入力端子
１２      第一のフィルタ（ＩＦフィルタ）
１２ａ    コイル
１２ｂ    コンデンサ
１３      第二のフィルタ（ＣＢフィルタ）
１３ａ    コンデンサ
１３ｂ    コイル
１４      ＶＨＦハイバンド用アンテナ同調回路（アンテナ同調回路）
１５      ＶＨＦローバンド用アンテナ同調回路（アンテナ同調回路）
１６      ＵＨＦ用アンテナ同調回路（アンテナ同調回路）
１７      コンデンサ
【図１】
0003738500.tif 000002
【図２】
0003738500.tif 000003
【図３】
0003738500.tif 000004
【図４】
0003738500.tif 000005